(57)【特許請求の範囲】
【請求項１】
データ伝送方法であって、
端末は第１サービスの第１間欠受信ＤＲＸメカニズムが連続リスニング時間帯ｏｎ‐ｄｕｒａｔｉｏｎ期間にあり、且つ第２サービスの第２間欠受信ＤＲＸメカニズムが休眠時間帯にある場合、前記第１サービスに対応する第１リソースによって前記端末の第２サービスのデータを受信し、前記第２サービスの優先度は前記第１サービスの優先度より大きいステップを含むことを特徴とするデータ伝送方法。
【請求項２】
前記第１ＤＲＸメカニズムとは前記端末が前記第１サービスに対応する第１リソース上でのＤＲＸメカニズムを指し、前記第２ＤＲＸメカニズムとは前記端末が前記第２サービスに対応する第２リソース上でのＤＲＸメカニズムを指し、前記第１リソースと前記第２リソースとの異なりは前記第１サービスに対応する無線周波数ＲＦ  ｂａｎｄと前記第２サービスに対応する無線周波数ＲＦ  ｂａｎｄとの異なり、或いは同じ無線周波数リソースで第１サービスに対応するベースバンド処理方法と第２サービスに対応するベースバンド処理方法との異なりを含むことを特徴とする請求項１に記載の方法。
【請求項３】
前記端末は前記第１サービスに対応する第１リソースによって前記端末の第２サービスのデータを受信するのは、
前記端末は前記第１サービスに対応する第１ＤＲＸメカニズムのｏｎ−ｄｕｒａｔｉｏｎ期間で下り制御チャネルを受信し、前記下り制御チャネルは前記第２サービスのデータをスケジューリングすることに用いられること、及び
前記端末は前記下り制御チャネルに基づき、前記第１サービスに対応する第１リソースによって前記端末の第２サービスのデータを受信することを含むことを特徴とする請求項１又は２に記載の方法。
【請求項４】
前記方法は更に、
前記端末は前記第２ＤＲＸメカニズムのｏｎ−ｄｕｒａｔｉｏｎ開始位置にｏｎ−ｄｕｒａｔｉｏｎに入るステップ、或いは、
前記端末は前記第２ＤＲＸメカニズムのｏｎ−ｄｕｒａｔｉｏｎ開始位置に休眠時間に入るステップを含むことを特徴とする請求項１−３のいずれかに記載の方法。
【請求項５】
データ伝送方法であって、
端末は第１サービスの第１間欠受信ＤＲＸメカニズムの連続リスニング時間帯ｏｎ−ｄｕｒａｔｉｏｎ期間に、第２サービスの第２ＤＲＸメカニズムでｏｎ−ｄｕｒａｔｉｏｎに入り、前記第２サービスの優先度は前記第１サービスの優先度より大きいステップと、
前記端末は前記第１ＤＲＸメカニズムのｏｎ−ｄｕｒａｔｉｏｎ期間に、前記第２サービスに対応する第２リソースによって前記第２サービスのデータを受信するステップとを含むことを特徴とするデータ伝送方法。
【請求項６】
前記第１ＤＲＸメカニズムとは前記端末が前記第１サービスに対応する第１リソース上でのＤＲＸメカニズムを指し、前記第２ＤＲＸメカニズムとは前記端末が前記第２サービスに対応する第２リソース上でのＤＲＸメカニズムを指し、前記第１リソースと前記第２リソースとの異なりは前記第１サービスに対応する無線周波数ＲＦ  ｂａｎｄと前記第２サービスに対応する無線周波数ＲＦ  ｂａｎｄとの異なり、或いは同じ無線周波数リソースで第１サービスに対応するベースバンド処理方法と第２サービスに対応するベースバンド処理方法との異なりを含むことを特徴とする請求項５に記載の方法。
【請求項７】
前記端末は第２サービスの第２ＤＲＸメカニズムでｏｎ−ｄｕｒａｔｉｏｎに入るのは、
前記端末は前記第１ＤＲＸメカニズムのｏｎ−ｄｕｒａｔｉｏｎ期間に、指示情報を受信し、前記指示情報はネットワーク側装置が前記第１ＤＲＸメカニズムのｏｎ−ｄｕｒａｔｉｏｎ期間に前記端末の第２サービスの送信待ちデータを検出し、且つ前記第２ＤＲＸメカニズムが休眠時間帯にある際に送信されたものであること、及び
前記端末は前記指示情報に基づき、前記第２サービスの前記第２ＤＲＸメカニズムでｏｎ−ｄｕｒａｔｉｏｎに入ることを含むことを特徴とする請求項５又は６に記載の方法。
【請求項８】
前記端末は前記第１ＤＲＸメカニズムのｏｎ−ｄｕｒａｔｉｏｎ期間に、前記第２サービスに対応する第２リソースによって前記第２サービスのデータを受信するのは、
前記端末は前記第１ＤＲＸメカニズムのｏｎ−ｄｕｒａｔｉｏｎ期間に、且つ前記第２サービスに対応する第２ＤＲＸメカニズムのｏｎ−ｄｕｒａｔｉｏｎ期間に下り制御チャネルを受信し、前記下り制御チャネルは前記第２サービスのデータをスケジューリングすることに用いられること、及び
前記端末は前記第１ＤＲＸメカニズムのｏｎ−ｄｕｒａｔｉｏｎ期間に、前記下り制御チャネルに基づき、前記第２サービスに対応する第２リソースによって前記第２サービスのデータを受信することを含むことを特徴とする請求項５-７のいずれかに記載の方法。
【請求項９】
端末であって、処理ユニット及び通信ユニットを備え、
前記処理ユニットは、第１サービスの第１間欠受信ＤＲＸメカニズムが連続リスニング時間帯ｏｎ‐ｄｕｒａｔｉｏｎ期間にあり、且つ第２サービスの第２間欠受信ＤＲＸメカニズムが休眠時間帯にある場合、前記第１サービスに対応する第１リソースを使用して前記通信ユニットによって前記第２サービスのデータを受信することに用いられることを特徴とする端末。
【請求項１０】
前記第１ＤＲＸメカニズムとは前記端末が前記第１サービスに対応する第１リソース上でのＤＲＸメカニズムを指し、前記第２ＤＲＸメカニズムとは前記端末が前記第２サービスに対応する第２リソース上でのＤＲＸメカニズムを指し、前記第１リソースと前記第２リソースとの異なりは前記第１サービスに対応する無線周波数ＲＦ  ｂａｎｄと前記第２サービスに対応する無線周波数ＲＦ  ｂａｎｄとの異なり、或いは同じ無線周波数リソースで第１サービスに対応するベースバンド処理方法と第２サービスに対応するベースバンド処理方法との異なりを含むことを特徴とする請求項９に記載の端末。
【請求項１１】
前記処理ユニットは具体的に、前記第１サービスに対応する第１ＤＲＸメカニズムのｏｎ−ｄｕｒａｔｉｏｎ期間に下り制御チャネルを受信することに用いられ、前記下り制御チャネルは前記第２サービスのデータをスケジューリングすることに用いられ、及び前記処理ユニットは前記下り制御チャネルに基づき、前記第１サービスに対応する第１リソースによって前記端末の第２サービスのデータを受信することに用いられることを特徴とする請求項９又は１０に記載の端末。
【請求項１２】
前記処理ユニットは更に、前記第２ＤＲＸメカニズムのｏｎ−ｄｕｒａｔｉｏｎ開始位置にｏｎ−ｄｕｒａｔｉｏｎに入り、或いは、前記第２ＤＲＸメカニズムのｏｎ−ｄｕｒａｔｉｏｎ開始位置に休眠時間に入ることに用いられることを特徴とする請求項９-１１のいずれかに記載の端末。
【請求項１３】
端末であって、処理ユニット及び通信ユニットを備え、
前記処理ユニットは、第１サービスの第１間欠受信ＤＲＸメカニズムの連続リスニング時間帯ｏｎ−ｄｕｒａｔｉｏｎ期間に、第２サービスの第２ＤＲＸメカニズムでｏｎ−ｄｕｒａｔｉｏｎに入ることに用いられ、前記第２サービスの優先度は前記第１サービスの優先度より大きく、及び前記処理ユニットは前記第１ＤＲＸメカニズムのｏｎ−ｄｕｒａｔｉｏｎ期間に、前記第２サービスに対応する第２リソースを使用して前記通信ユニットによって前記第２サービスのデータを受信することに用いられることを特徴とする端末。
【請求項１４】
前記第１ＤＲＸメカニズムとは前記端末が前記第１サービスに対応する第１リソース上でのＤＲＸメカニズムを指し、前記第２ＤＲＸメカニズムとは前記端末が前記第２サービスに対応する第２リソース上でのＤＲＸメカニズムを指し、前記第１リソースと前記第２リソースとの異なりは前記第１サービスに対応する無線周波数ＲＦ  ｂａｎｄと前記第２サービスに対応する無線周波数ＲＦ  ｂａｎｄとの異なり、或いは同じ無線周波数リソースで第１サービスに対応するベースバンド処理方法と第２サービスに対応するベースバンド処理方法との異なりを含むことを特徴とする請求項１３に記載の端末。
【請求項１５】
前記処理ユニットは具体的に、前記第１ＤＲＸメカニズムのｏｎ−ｄｕｒａｔｉｏｎ期間に、前記通信ユニットによって指示情報を受信することに用いられ、前記指示情報はネットワーク側装置が前記第１ＤＲＸメカニズムのｏｎ−ｄｕｒａｔｉｏｎ期間に前記端末の第２サービスの送信待ちデータを検出し、且つ前記第２ＤＲＸメカニズムが休眠時間帯にある際に送信されたものであり、及び前記処理ユニットは前記指示情報に基づき、前記第２サービスの前記第２ＤＲＸメカニズムでｏｎ−ｄｕｒａｔｉｏｎに入ることに用いられることを特徴とする請求項１３又は１４に記載の端末。
【発明の詳細な説明】
【技術分野】
【０００１】
本発明は通信技術分野に関し、特にデータ伝送方法及び装置に関する。
【背景技術】
【０００２】
第４世代（４ｔｈ  Ｇｅｎｅｒａｔｉｏｎ、４Ｇ）移動体通信ネットワーク、例えばロングタームエボリューション（Ｌｏｎｇ  Ｔｅｒｍ  Ｅｖｏｌｕｔｉｏｎ、ＬＴＥ）ネットワークは、広いカバレッジを達成していた。４Ｇネットワークはその通信速度が速く、ネットワークスペクトルが広く、通信が柔軟である等の特点を有する。しかしながら、モノのインターネット、車のインターネット等のネットワークの需要の出現に伴って、ユーザーは次の世代の移動通信ネットワーク、即ち第５世代（５ｔｈ  Ｇｅｎｅｒａｔｉｏｎ、５Ｇ）移動通信ネットワークに対する要求がますます多くなって、例えば連続的な広域カバレッジが１００メガバイト／秒（Ｍｂｐｓ）であるユーザーエクスペリエンス、ホットスポットが１千メガバイト／秒（Ｇｂｐｓ）であるユーザーエクスペリエンス、１ミリ秒（ｍｓ）以内のエアインターフェイス遅延、１００ｍｓ以内のエンドツーエンド遅延、信頼性保証等を求める。
【０００３】
４Ｇネットワークにおいて、端末のＤＲＸ（Ｄｉｓｃｏｎｔｉｎｕｏｕｓ  Ｒｅｃｅｐｔｉｏｎ、間欠受信）メカニズムは各端末に基づいたものであり、５Ｇネットワークにおいて端末のＤＲＸメカニズムは端末のサービスの種類に基づいたものであり、即ち端末の違うサービスに対応するＤＲＸメカニズムは異なり、例えば第１サービスは第１ＤＲＸメカニズムに対応し、第２サービスは第２ＤＲＸメカニズムに対応し、対応的に、端末は第１ＤＲＸメカニズムの連続リスニング時間帯ｏｎ−ｄｕｒａｔｉｏｎ期間に第１サービスのデータを受信することができ、第２ＤＲＸメカニズムのｏｎ−ｄｕｒａｔｉｏｎ期間に第２サービスのデータを受信することができ、如何に非現行ＤＲＸメカニズムに対応するサービスのデータがスケジューリングする過程における遅延問題を最適化するかは、５Ｇネットワークにおけるホットスポット問題である。
【発明の概要】
【発明が解決しようとする課題】
【０００４】
本発明の実施例はデータ伝送方法及び装置を提供し、端末の非現行ＤＲＸメカニズムに対応する高優先度サービスのデータスケジューリング遅延を最適化することを期待し、データスケジューリング効率を向上させる。
【課題を解決するための手段】
【０００５】
第１態様によれば、本発明の実施例はデータ伝送方法を提供し、
端末は第１サービスの第１間欠受信ＤＲＸメカニズムの連続リスニング時間帯ｏｎ−ｄｕｒａｔｉｏｎ期間に、前記第１サービスに対応する第１リソースによって前記端末の第２サービスのデータを受信し、前記第２サービスの優先度は前記第１サービスの優先度より大きく、且つ前記第２サービスの第２間欠受信ＤＲＸメカニズムは休眠時間帯にあるステップを含む。
【０００６】
第２態様によれば、本発明の実施例はデータ伝送方法を提供し、
ネットワーク側装置は端末の第１サービスの第１間欠受信ＤＲＸメカニズムの連続リスニング時間帯ｏｎ−ｄｕｒａｔｉｏｎ期間に、前記端末の第２サービスの送信待ちデータを検出し、且つ前記第２サービスの第２間欠受信ＤＲＸメカニズムは休眠時間帯にある際に、前記第１サービスに対応する第１リソースによって前記第２サービスのデータを送信し、前記第２サービスの優先度は前記第１サービスの優先度より高いステップを含む。
【０００７】
第３態様によれば、本発明の実施例はデータ伝送方法を提供し、
端末は第１サービスの第１間欠受信ＤＲＸメカニズムの連続リスニング時間帯ｏｎ−ｄｕｒａｔｉｏｎ期間に、第２サービスの第２ＤＲＸメカニズムでｏｎ−ｄｕｒａｔｉｏｎに入り、前記第２サービスの優先度は前記第１サービスの優先度より大きいステップと、
前記端末は前記第１ＤＲＸメカニズムのｏｎ−ｄｕｒａｔｉｏｎ期間に、前記第２サービスに対応する第２リソースによって前記第２サービスのデータを受信するステップと、を含む。
【０００８】
第４態様によれば、本発明の実施例はデータ伝送方法を提供し、
ネットワーク側装置は端末の第１サービスの第１間欠受信ＤＲＸメカニズムの連続リスニング時間帯ｏｎ−ｄｕｒａｔｉｏｎ期間に、前記端末の第２サービスに対応する第２リソースによって第２サービスのデータを送信し、前記第２サービスの優先度は前記第１サービスの優先度より大きいステップを含む。
【０００９】
第５態様によれば、本発明の実施例は端末を提供し、該端末は上記方法設計における端末の動作を実現する機能を有する。前記機能はハードウェアによって実現されてもよいし、ハードウェアが対応するソフトウェアを実行することによって実現されてもよい。前記ハードウェア又はソフトウェアは１つ又は複数の上記機能に対応するモジュールを含む。
【００１０】
一可能な設計において、端末はプロセッサを備え、前記プロセッサは、端末が上記方法における対応する機能を実行するのをサポートするように設定される。更に、端末はトランシーバーを更に備えてもよく、前記トランシーバーは端末とネットワーク側装置との間の通信をサポートすることに用いられる。更に、端末はメモリを更に備えてもよく、前記メモリはプロセッサにカップリングされることに用いられ、端末に必要なプログラム命令及びデータを記憶する。
【００１１】
第６態様によれば、本発明の実施例はネットワーク側装置を提供し、該ネットワーク側装置は上記方法設計におけるネットワーク側装置の動作を実現する機能を有する。前記機能はハードウェアによって実現されてもよいし、ハードウェアが対応するソフトウェアを実行することによって実現されてもよい。前記ハードウェア又はソフトウェアは１つ又は複数の上記機能に対応するモジュールを含む。
【００１２】
一可能な設計において、ネットワーク側装置はプロセッサを備え、前記プロセッサはネットワーク側装置が上記方法における対応する機能を実行するのをサポートするように設定される。更に、ネットワーク側装置はトランシーバーを更に備えてもよく、前記トランシーバーはネットワーク側装置と端末との間の通信をサポートすることに用いられる。更に、ネットワーク側装置はメモリを更に備えてもよく、前記メモリはプロセッサにカップリングされることに用いられ、ネットワーク側装置に必要なプログラム命令及びデータを記憶する。
【００１３】
これから見ると、本発明の第１態様、第２態様、第５態様の実施例において、端末の第２サービスの優先度は第１サービスの優先度より大きく、ネットワーク側装置は端末の第１サービスの第１間欠受信ＤＲＸメカニズムの連続リスニング時間帯ｏｎ−ｄｕｒａｔｉｏｎ期間に、前記端末の第２サービスの送信待ちデータを検出し、且つ前記第２サービスの第２間欠受信ＤＲＸメカニズムは休眠時間帯にある際に、第１サービスに対応する第１リソースによって第２サービスのデータを送信し、対応的に、端末は第１サービスの第１ＤＲＸメカニズムのｏｎ−ｄｕｒａｔｉｏｎ期間に、第１サービスに対応する第１リソース受信によって第２サービスのデータを受信し、このように、端末は順次スケジューリング戦略に従って第２ＤＲＸメカニズムのｏｎ−ｄｕｒａｔｉｏｎにやっと第２サービスのデータを受信する待ち時間を減少することができ、端末の休眠時間帯にあるＤＲＸメカニズムに対応する高優先度サービスのデータスケジューリング遅延を最適化することに有利であり、データスケジューリング効率を向上させる。  
これから見ると、本発明の第３態様、第４態様、第６態様の実施例において、端末の第２サービスの優先度は第１サービスの優先度より大きく、ネットワーク側装置は端末の第１サービスの第１間欠受信ＤＲＸメカニズムの連続リスニング時間帯ｏｎ−ｄｕｒａｔｉｏｎ期間に、端末の第２サービスに対応する第２リソースによって第２サービスのデータを送信し、対応的に、端末は第１サービスの第１ＤＲＸメカニズムのｏｎ−ｄｕｒａｔｉｏｎ期間に、第２サービスの第２ＤＲＸメカニズムでｏｎ−ｄｕｒａｔｉｏｎに入り、且つ第１ＤＲＸメカニズムのｏｎ−ｄｕｒａｔｉｏｎ期間に、第２サービスに対応する第２リソースによって第２サービスのデータを受信する。これから見ると、端末は第２サービスの第２ＤＲＸメカニズムのｏｎ−ｄｕｒａｔｉｏｎを繰り上げ、且つ該第２サービスに対応する第２リソースには端末が第２サービスのデータを受信することができるため、端末が第２サービスのデータを受信する待ち時間を減少することに相当し、端末の元の休眠時間帯にあるＤＲＸメカニズムに対応する高優先度サービスのデータスケジューリング遅延を最適化することに有利であり、データスケジューリング効率を向上させる。
【図面の簡単な説明】
【００１４】
以下、実施例又は従来の技術の説明に使用される必要がある図面を簡単に紹介する。
【図１Ａ】図１Ａは本発明の実施例による可能なネットワークアーキテクチャの模式図である。
【図１Ｂ】図１Ｂは本発明の実施例による端末が異なるサービスのＤＲＸメカニズムに基づいた模式図である。
【図２Ａ】図２Ａは本発明の実施例によるデータ伝送方法の通信模式図である。
【図２Ｂ】図２Ｂは本発明の実施例による端末が第２サービスデータを受信する例図である。
【図３Ａ】図３Ａは本発明の実施例によるデータ伝送方法の通信模式図である。
【図３Ｂ】図３Ｂは本発明の実施例による端末が第２サービスデータを受信する例図である。
【図４Ａ】図４Ａは本発明の実施例による端末の構造模式図である。
【図４Ｂ】図４Ｂは本発明の実施例による他の端末の構造模式図である。
【図５Ａ】図５Ａは本発明の実施例によるネットワーク側装置の構造模式図である。
【図５Ｂ】図５Ｂは本発明の実施例による他のネットワーク側装置の構造模式図である。
【図６】図６は本発明の実施例による他の端末の構造模式図である。
【発明を実施するための形態】
【００１５】
以下、図面を参照して本発明の実施例における技術的解決手段を説明する。
【００１６】
図１Ａを参照して、図１Ａは本発明の実施例による可能なネットワークアーキテクチャである。該ネットワークアーキテクチャはネットワーク側装置及び端末を備え、端末はネットワーク側装置が提供した移動体通信ネットワークにアクセスする際に、端末とネットワーク側装置との間に無線リンクによって通信接続されることができる。該ネットワーク側装置は例えば５Ｇネットワークにおける基地局であってもよい。本発明の実施例において、名詞「ネットワーク」及び「システム」は互換的に使用される場合が多く、当業者はその意味を理解することができる。本発明の実施例による端末は様々な無線通信機能を有するハンドヘルド機器、車載機器、ウェアラブル機器、コンピューティング機器又は無線モデムに接続されるその他の処理装置、及び様々な形態のユーザー装置（Ｕｓｅｒ  Ｅｑｕｉｐｍｅｎｔ、ＵＥ）、移動局（Ｍｏｂｉｌｅ  Ｓｔａｔｉｏｎ、ＭＳ）、端末装置（ｔｅｒｍｉｎａｌ  ｄｅｖｉｃｅ）等を含んでもよい。説明の便利のため、以上で言及した装置は端末と総称される。
【００１７】
なお、本発明の実施例に記載の間欠受信ＤＲＸメカニズムはいずれもＲＲＣ（Ｒａｄｉｏ  Ｒｅｓｏｕｒｃｅ  Ｃｏｎｔｒｏｌ、無線リソース制御）接続状態でのＤＲＸメカニズム（ＤＲＸ  ｉｎ  ＲＲＣ＿ＣＯＮＮＥＣＴＥＤ）を指す。
【００１８】
以下で、例によって図１Ａに示すネットワークアーキテクチャにおいて、端末はマルチタスクのＤＲＸメカニズムに基づいてマルチサービスのデータの順次スケジューリング過程を簡単に説明する。図１Ｂを参照し、仮に端末のＤＲＸメカニズムは第１ＤＲＸメカニズム及び第２ＤＲＸメカニズムを含み、且つ第１ＤＲＸメカニズムは端末のｅＭＢＢ（ｅｎｈａｎｃｅｄ  ｍｏｂｉｌｅ  ｂｒｏａｄｂａｎｄ  ｅＭＢＢ、拡張モバイルブロードバンド）サービスをサポートし、第２ＤＲＸメカニズムは端末のｕＲＬＬＣ（ｕｌｔｒａ  Ｒｅｌｉａｂｌｅ  ＆  Ｌｏｗ  Ｌａｔｅｎｃｙ  Ｃｏｍｍｕｎｉｃａｔｉｏｎ、超高信頼、低遅延）サービスをサポートし、且つ第１ＤＲＸメカニズムの連続リスニング時間帯ｏｎ−ｄｕｒａｔｉｏｎは第２ＤＲＸメカニズムのｏｎ−ｄｕｒａｔｉｏｎと違う。ネットワーク側装置は第１ＤＲＸメカニズムのｏｎ−ｄｕｒａｔｉｏｎ期間に端末のｕＲＬＬＣサービスのデータを検出した場合、端末は現在の第１ＤＲＸメカニズムのｏｎ−ｄｕｒａｔｉｏｎ期間にｅＭＢＢサービスのデータのみを受信できるため、ネットワーク側装置は第２ＤＲＸメカニズムのｏｎ−ｄｕｒａｔｉｏｎ期間まで遅延し端末へ該ｕＲＬＬＣサービスのデータを送信する必要があり、対応的に、端末は第２ＤＲＸメカニズムのｏｎ−ｄｕｒａｔｉｏｎ期間にｕＲＬＬＣサービスのデータを受信することができる。
【００１９】
上記の例のデータの順次スケジューリング過程から分かるように、端末の休眠時間帯にあるＤＲＸメカニズムに対応するサービスのデータのスケジューリング遅延は相対的に高く、特定のシナリオでユーザーの需要、例えば端末のビデオサービスを満たすのが難しい。これに基づいて、本発明の実施例は以下のようなデータ伝送方法を提案する。
【００２０】
図２Ａを参照し、図２Ａは本発明の実施例によるデータ伝送方法を示し、ネットワーク側装置及び端末を備える移動体通信ネットワークに適用され、前記ネットワーク側装置は前記端末に通信接続され、該方法はネットワーク側装置及び端末の複数の角度から説明し、該方法は、２０１〜２０２部分を含み、具体的に、下記の通りである。
２０１、ネットワーク側装置は端末の第１サービスの第１間欠受信ＤＲＸメカニズムの連続リスニング時間帯ｏｎ−ｄｕｒａｔｉｏｎ期間に、前記端末の第２サービスの送信待ちデータを検出し、且つ前記第２サービスの第２間欠受信ＤＲＸメカニズムは休眠時間帯にある際に、前記第１サービスに対応する第１リソースによって前記第２サービスのデータを送信し、前記第２サービスの優先度は前記第１サービスの優先度より高い。
【００２１】
理解できるのは、第１サービスと第２サービスのサービス分割メカニズムは様々であり、本発明の実施例は制限しない。例えば、第１サービス及び第２サービスは周波数領域リソースによって分割されてもよいし、或いは、第１サービス及び第２サービスはベースバンド処理リソースによって分割されてもよい。前記第１サービス及び前記第２サービスは例えば５Ｇ標準ネットワークがサポートするｅＭＢＢサービス、ｍＭＴＣ（ｍａｓｓｉｖｅ  Ｍａｃｈｉｎｅ−Ｔｙｐｅ  Ｃｏｍｍｕｎｉｃａｔｉｏｎ、大規模機械型コミュニケーション）、ｕＲＬＬＣサービス等であってもよく、本実施例における第１サービス及び第２サービスは上記タイプのサービス分割に制限されない。
【００２２】
前記第１ＤＲＸメカニズムのｏｎ−ｄｕｒａｔｉｏｎ時間内で、ネットワーク側装置は第１サービスのデータを送信し、端末は下り制御チャネルを監視し、該連続リスニング時間帯ｏｎ−ｄｕｒａｔｉｏｎが一般的に連続リスニングタイマー  Ｏｎ  ｄｕｒａｔｉｏｎ  Ｔｉｍｅｒによってタイミングする。
【００２３】
一つの可能な例では、前記第１ＤＲＸメカニズムとは前記端末が前記第１サービスに対応する第１リソース上でのＤＲＸメカニズムを指し、前記第２ＤＲＸメカニズムとは前記端末が前記第２サービスに対応する第２リソース上でのＤＲＸメカニズムを指し、前記第１リソースと前記第２リソースとの異なりは前記第１サービスに対応する無線周波数ＲＦ  ｂａｎｄと前記第２サービスに対応する無線周波数ＲＦ  ｂａｎｄとの異なり、或いは同じ無線周波数リソースで第１サービスに対応するベースバンド処理方法と第２サービスに対応するベースバンド処理方法との異なりを含む。
【００２４】
一つの可能な例では、前記ネットワーク側装置は前記第１サービスに対応する第１リソースによって前記第２サービスのデータを送信するのは、
前記ネットワーク側装置は前記第１サービスに対応する第１ＤＲＸメカニズムのｏｎ−ｄｕｒａｔｉｏｎ期間に下り制御チャネルを送信し、前記下り制御チャネルは前記第２サービスのデータをスケジューリングすることに用いられること、及び
前記ネットワーク側装置は前記下り制御チャネルに基づき、前記第１サービスに対応する第１リソースによって前記第２サービスのデータを送信することを含む。
【００２５】
一つの可能な例では、前記第１リソースは前記第１サービスに対応する第１リソースであり、前記第２リソースは前記第２サービスに対応する第２リソースであり、前記第１リソースの基本パラメータセットｎｕｍｅｒｏｌｏｇｙと前記第２リソースのｎｕｍｅｒｏｌｏｇｙとは異なり、前記ネットワーク側装置は前記第１サービスに対応する第１リソースによって前記第２サービスのデータを送信するのは、
前記ネットワーク側装置は前記第１リソースのｎｕｍｅｒｏｌｏｇｙを前記第２リソースのｎｕｍｅｒｏｌｏｇｙに更新すること、及び
前記ネットワーク側装置は前記第１サービスに対応する第１リソースによって前記第２サービスのデータを送信することを含む。
【００２６】
２０２、端末は第１サービスの第１間欠受信ＤＲＸメカニズムの連続リスニング時間帯ｏｎ−ｄｕｒａｔｉｏｎ期間に、前記第１サービスに対応する第１リソースによって前記端末の第２サービスのデータを受信し、前記第２サービスの優先度は前記第１サービスの優先度より大きく、且つ前記第２サービスの第２間欠受信ＤＲＸメカニズムは休眠時間帯にある。
【００２７】
具体的な実現において、図２Ｂに示すように、仮に端末は第１サービスの第１間欠受信ＤＲＸメカニズムの連続リスニング時間帯ｏｎ−ｄｕｒａｔｉｏｎ期間の第１タイムノードで、前記第１サービスに対応する第１リソースによって前記端末の第２サービスのデータを受信し、端末は従来の順次スケジューリング戦略に従って第２サービスのデータを受信する際に、端末は第２ＤＲＸメカニズムのｏｎ−ｄｕｒａｔｉｏｎ期間の第２タイムノードで、第２サービスに対応する第２リソースによって第２サービスのデータを受信することがあるため、端末は第１タイムノードで第２サービスのデータを受信し、第２サービスのデータを受信する遅延を低下させる。
【００２８】
一つの可能な例では、前記端末は前記第１サービスに対応する第１リソースによって前記端末の第２サービスのデータを受信するのは、
前記端末は前記第１サービスに対応する第１ＤＲＸメカニズムのｏｎ−ｄｕｒａｔｉｏｎ期間で下り制御チャネルを受信し、前記下り制御チャネルは前記第２サービスのデータをスケジューリングすることに用いられること、及び
前記端末は前記下り制御チャネルに基づき、前記第１サービスに対応する第１リソースによって前記端末の第２サービスのデータを受信することを含む。
【００２９】
一つの可能な例では、前記端末は前記第１サービスに対応する第１リソースによって前記端末の第２サービスのデータを受信した後に、前記方法は更に、
前記端末は前記第２ＤＲＸメカニズムのｏｎ−ｄｕｒａｔｉｏｎ開始位置にｏｎ−ｄｕｒａｔｉｏｎに入ること、或いは、
前記端末は前記第２ＤＲＸメカニズムのｏｎ−ｄｕｒａｔｉｏｎ開始位置に休眠時間に入るステップを含む。
【００３０】
これから見ると、本発明の実施例において、端末の第２サービスの優先度は第１サービスの優先度より大きく、ネットワーク側装置は端末の第１サービスの第１間欠受信ＤＲＸメカニズムの連続リスニング時間帯ｏｎ−ｄｕｒａｔｉｏｎ期間に、前記端末の第２サービスの送信待ちデータを検出し、且つ前記第２サービスの第２間欠受信ＤＲＸメカニズムは休眠時間帯にある際に、第１サービスに対応する第１リソースによって第２サービスのデータを送信し、対応的に、端末は第１サービスの第１ＤＲＸメカニズムのｏｎ−ｄｕｒａｔｉｏｎ期間に、第１サービスに対応する第１リソースによって第２サービスのデータを受信し、このように、端末は順次スケジューリング戦略に従って第２ＤＲＸメカニズムのｏｎ−ｄｕｒａｔｉｏｎにやっと第２サービスのデータを受信する待ち時間を減少することができ、端末の休眠時間帯にあるＤＲＸメカニズムに対応する高優先度サービスのデータスケジューリング遅延を最適化することに有利であり、データスケジューリング効率を向上させる。
【００３１】
図３Ａを参照し、図３Ａは本発明の実施例によるデータ伝送方法を示し、ネットワーク側装置及び端末を含む移動体通信ネットワークに適用され、前記ネットワーク側装置は前記端末に通信接続され、該方法はネットワーク側装置及び端末の複数の角度から説明し、該方法は３０１〜３０４部分を含み、具体的に、以下の通りである。
３０１、端末は第１サービスの第１間欠受信ＤＲＸメカニズムの連続リスニング時間帯ｏｎ−ｄｕｒａｔｉｏｎ期間に、第２サービスの第２ＤＲＸメカニズムでｏｎ−ｄｕｒａｔｉｏｎに入り、前記第２サービスの優先度は前記第１サービスの優先度より大きい。
【００３２】
一つの可能な例では、前記第１ＤＲＸメカニズムとは前記端末が前記第１サービスに対応する第１リソース上でのＤＲＸメカニズムを指し、前記第２ＤＲＸメカニズムとは前記端末が前記第２サービスに対応する第２リソース上でのＤＲＸメカニズムを指し、前記第１リソースと前記第２リソースとの異なりは前記第１サービスに対応する無線周波数ＲＦ  ｂａｎｄと前記第２サービスに対応する無線周波数ＲＦ  ｂａｎｄとの異なり、或いは同じ無線周波数リソースで第１サービスに対応するベースバンド処理方法と第２サービスに対応するベースバンド処理方法との異なりを含む。
【００３３】
一つの可能な例では、前記端末は第２サービスの第２ＤＲＸメカニズムでｏｎ−ｄｕｒａｔｉｏｎに入るのは、
前記端末は前記第１ＤＲＸメカニズムのｏｎ−ｄｕｒａｔｉｏｎ期間に、指示情報を受信し、前記指示情報はネットワーク側装置が前記第１ＤＲＸメカニズムのｏｎ−ｄｕｒａｔｉｏｎ期間に前記端末の第２サービスの送信待ちデータを検出し、且つ前記第２ＤＲＸメカニズムが休眠時間帯にある際に送信されたものであること、及び
前記端末は前記指示情報に基づき、前記第２サービスの前記第２ＤＲＸメカニズムでｏｎ−ｄｕｒａｔｉｏｎに入ることを含む。
【００３４】
前記指示情報は第２サービスの下りデータの到達を指示する指示情報を含み、或いは前記端末が第２ＤＲＸメカニズムでｏｎ−ｄｕｒａｔｉｏｎに入ることを指示する指示情報を含み、前記指示情報は、下り制御チャネル（例えば、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ））、下り共有チャンネル（例えば、ＰＤＳＣＨ（Ｐｈｙｓｉｃａｌ  Ｄｏｗｎｌｉｎｋ  Ｓｈａｒｅｄ  Ｃｈａｎｎｅｌ、物理下り共有チャンネル））、メディアアクセス制御層制御ユニット（例えば、ＭＡＣ  ＣＥ（Ｍｅｄｉａ  Ａｃｃｅｓｓ  Ｃｏｎｔｒｏｌ  Ｃｏｎｔｒｏｌ  Ｅｌｅｍｅｎｔ、メディアアクセス制御層制御ユニット））の任意のいずれかの方法によって送信される。
【００３５】
３０２、ネットワーク側装置は端末の第１サービスの第１間欠受信ＤＲＸメカニズムの連続リスニング時間帯ｏｎ−ｄｕｒａｔｉｏｎ期間に、前記端末の第２サービスに対応する第２リソースによって第２サービスのデータを送信し、前記第２サービスの優先度は前記第１サービスの優先度より大きい。
【００３６】
一つの可能な例では、前記第１ＤＲＸメカニズムとは前記端末が前記第１サービスに対応する第１リソース上でのＤＲＸメカニズムを指し、前記第２ＤＲＸメカニズムとは前記端末が前記第２サービスに対応する第２リソース上でのＤＲＸメカニズムを指し、前記第１リソースと前記第２リソースとの異なりは前記第１サービスに対応する無線周波数ＲＦ  ｂａｎｄと前記第２サービスに対応する無線周波数ＲＦ  ｂａｎｄとの異なり、或いは同じ無線周波数リソースで第１サービスに対応するベースバンド処理方法と第２サービスに対応するベースバンド処理方法との異なりを含む。
【００３７】
一つの可能な例では、前記ネットワーク側装置は第２サービスに対応する第２リソースによって第２サービスのデータを送信する前に、前記方法は更に、
前記ネットワーク側装置は前記第１ＤＲＸメカニズムのｏｎ−ｄｕｒａｔｉｏｎ期間に、前記第２サービスの送信待ちデータを検出し、且つ前記第２ＤＲＸメカニズムが休眠時間帯にある際に、指示情報を送信し、前記指示情報は前記端末が第２ＤＲＸメカニズムでｏｎ−ｄｕｒａｔｉｏｎに入ることに用いられるステップを含む。
【００３８】
一つの可能な例では、前記ネットワーク側装置は前記端末の第２サービスに対応する第２リソースによって第２サービスのデータを送信するのは、
前記ネットワーク側装置は前記端末の第２サービスに対応する第２ＤＲＸメカニズムのｏｎ−ｄｕｒａｔｉｏｎ期間に下り制御チャネルを送信し、前記下り制御チャネルは前記第２サービスのデータをスケジューリングすることに用いられること、及び
前記ネットワーク側装置は前記下り制御チャネルに基づき、前記端末の第２サービスに対応する第２リソースによって前記第２サービスのデータを送信することを含む。
【００３９】
３０３、前記端末は前記第１ＤＲＸメカニズムのｏｎ−ｄｕｒａｔｉｏｎ期間に、前記第２サービスに対応する第２リソースによって前記第２サービスのデータを受信する。
【００４０】
具体的な実現において、図３Ｂに示すように、仮に端末は第１サービスの第１ＤＲＸメカニズムの連続リスニング時間帯ｏｎ−ｄｕｒａｔｉｏｎ期間の第１タイムノードに、第２サービスの第２ＤＲＸメカニズムがｏｎ−ｄｕｒａｔｉｏｎに入ることを指示し、且つ前記第１ＤＲＸメカニズムのｏｎ−ｄｕｒａｔｉｏｎ期間の第２タイムノード（現在の第２ＤＲＸメカニズムのｏｎ−ｄｕｒａｔｉｏｎ期間の第２タイムノードと考えられることもできる）に、前記第２サービスに対応する第２リソースによって前記第２サービスのデータを受信し、端末は従来の順次スケジューリング戦略に従って第２サービスのデータを受信する際に、元の第２ＤＲＸメカニズムのｏｎ−ｄｕｒａｔｉｏｎ期間の第３タイムノードに第２サービスのデータを受信するため、端末は第２タイムノードで第２サービスのデータを受信し、第２サービスのデータを受信する遅延を低下させる。
【００４１】
一つの可能な例では、前記端末は前記第１ＤＲＸメカニズムのｏｎ−ｄｕｒａｔｉｏｎ期間に、前記第２サービスに対応する第２リソースによって前記第２サービスのデータを受信するのは、
前記端末は前記第１ＤＲＸメカニズムのｏｎ−ｄｕｒａｔｉｏｎ期間に、且つ前記第２サービスに対応する第２ＤＲＸメカニズムのｏｎ−ｄｕｒａｔｉｏｎ期間に下り制御チャネルを受信し、前記下り制御チャネルは前記第２サービスのデータをスケジューリングすることに用いられること、及び
前記端末は前記第１ＤＲＸメカニズムのｏｎ−ｄｕｒａｔｉｏｎ期間に、前記下り制御チャネルに基づき、前記第２サービスに対応する第２リソースによって前記第２サービスのデータを受信することを含む。
【００４２】
これから見ると、本発明の実施例において、端末の第２サービスの優先度は第１サービスの優先度より大きく、ネットワーク側装置は端末の第１サービスの第１間欠受信ＤＲＸメカニズムの連続リスニング時間帯ｏｎ−ｄｕｒａｔｉｏｎ期間に、端末の第２サービスに対応する第２リソースによって第２サービスのデータを送信し、対応的に、端末は第１サービスの第１ＤＲＸメカニズムのｏｎ−ｄｕｒａｔｉｏｎ期間に、第２サービスの第２ＤＲＸメカニズムでｏｎ−ｄｕｒａｔｉｏｎに入り、且つ第１ＤＲＸメカニズムのｏｎ−ｄｕｒａｔｉｏｎ期間に、第２サービスに対応する第２リソースによって第２サービスのデータを受信する。これから見ると、端末は第２サービスの第２ＤＲＸメカニズムのｏｎ−ｄｕｒａｔｉｏｎを繰り上げ、且つ該第２サービスに対応する第２リソースには端末が第２サービスのデータを受信することができるため、端末が第２サービスのデータを受信する待ち時間を減少することに相当し、端末の元の休眠時間帯にあるＤＲＸメカニズムに対応する高優先度サービスのデータスケジューリング遅延を最適化することに有利であり、データスケジューリング効率を向上させる。
【００４３】
上記で主にそれぞれのネットワーク要素の間にインタラクションする角度から本発明の実施例の手段を説明した。理解できるのは、端末及びネットワーク側装置は上記機能を実現するために、各機能を実行する対応するハードウェア構造及び／又はソフトウェアモジュールを含む。当業者は、本文に開示された実施例に記載の各例示のユニット及びアルゴリズムステップを組み合わせて、本発明は、ハードウェア、又はハードウェア及びコンピュータソフトウェアの組み合わせで実現することができることを認識することができる。ある機能はハードウェアで実行するかコンピュータソフトウェアでハードウェアを駆動し実行するかは、技術案の特定のアプリケーションおよび設計制約によって決められる。当業者は各特定のアプリケーションに対して異なる方法で説明した機能を実現することができるが、このような実現は本発明の範囲を超えると考えられない。
【００４４】
本発明の実施例は上記方法の例に応じて端末及びネットワーク側装置に対して機能ユニットの分割を行うことができ、例えば、各機能に対応して各機能ユニットを分割してもよいし、２つ又は２つ以上の機能を１つの処理ユニットに集積してもよい。上記集積されたユニットはハードウェアの形式で実現されてもよいし、ソフトウェア機能ユニットの形式で実現されてもよい。なお、本発明の実施例においてユニットの分割は例示的なものであり、ロジック機能分割だけであり、実際に実現する時に他の分割方式があってもよい。
【００４５】
集積されたユニットを使用する場合に、図４Ａは上記の実施例による第１コアネットワーク装置のある可能な構造模式図を示す。端末４００は、処理ユニット４０２及び通信ユニット４０３を備える。処理ユニット４０２は端末の動作を制御管理することに用いられ、例えば、処理ユニット４０２は端末が図２Ａにおけるステップ２０２、図３Ａにおけるステップ３０１、３０３及び／又は本文で説明した技術の他の過程を実行するのをサポートすることに用いられる。通信ユニット４０３は端末とその他の装置との通信、例えば図１に示すネットワーク側装置の間の通信をサポートすることに用いられる。端末は端末のプログラムコード及びデータを記憶するための記憶ユニット４０１を更に備える。
【００４６】
処理ユニット４０２はプロセッサ又はコントローラー、例えば中央プロセッサ（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）或いはその他のプログラマブルロジックデバイス、トランジスタロジックデバイス、ハードウェア部材或いはその任意の組み合わせであってもよい。本発明の開示内容に記載の各例示的な論理ボックス、モジュール及び回路を実現又は実行することができる。前記プロセッサは計算機能を実現する組み合わせ、例えば１つ又は複数のマイクロプロセッサを含む組み合わせ、ＤＳＰとマイクロプロセッサの組み合わせ等であってもよい。通信ユニット４０３はトランシーバー、トランシーバー回路等であってもよく、記憶ユニット４０１はメモリであってもよい。
【００４７】
前記処理ユニット４０２は第１サービスの第１間欠受信ＤＲＸメカニズムの連続リスニング時間帯ｏｎ−ｄｕｒａｔｉｏｎ期間に、前記第１サービスに対応する第１リソースを使用して前記通信ユニット４０３によって前記第２サービスのデータを受信することに用いられ、前記第２サービスの優先度は前記第１サービスの優先度より大きい。
【００４８】
一つの可能な例では、前記第１ＤＲＸメカニズムとは前記端末が前記第１サービスに対応する第１リソース上でのＤＲＸメカニズムを指し、前記第２ＤＲＸメカニズムとは前記端末が前記第２サービスに対応する第２リソース上でのＤＲＸメカニズムを指し、前記第１リソースと前記第２リソースとの異なりは前記第１サービスに対応する無線周波数ＲＦ  ｂａｎｄと前記第２サービスに対応する無線周波数ＲＦ  ｂａｎｄとの異なり、或いは同じ無線周波数リソースで第１サービスに対応するベースバンド処理方法と第２サービスに対応するベースバンド処理方法との異なりを含む。
【００４９】
一つの可能な例では、前記処理ユニット４０２は具体的に、前記第１サービスに対応する第１ＤＲＸメカニズムのｏｎ−ｄｕｒａｔｉｏｎ期間に下り制御チャネルを受信することに用いられ、前記下り制御チャネルは前記第２サービスのデータをスケジューリングすることに用いられ、及び前記処理ユニット４０２は前記下り制御チャネルに基づき、前記第１サービスに対応する第１リソースによって前記端末の第２サービスのデータを受信することに用いられる。
【００５０】
一つの可能な例では、前記処理ユニット４０２は前記第１サービスに対応する第１リソースを使用して前記通信ユニット４０３によって前記端末の第２サービスのデータを受信した後に、更に、前記第２ＤＲＸメカニズムのｏｎ−ｄｕｒａｔｉｏｎ開始位置にｏｎ−ｄｕｒａｔｉｏｎに入り、或いは、前記第２ＤＲＸメカニズムのｏｎ−ｄｕｒａｔｉｏｎ開始位置に休眠時間に入ることに用いられる。
【００５１】
前記処理ユニット４０２は、第１サービスの第１間欠受信ＤＲＸメカニズムの連続リスニング時間帯ｏｎ−ｄｕｒａｔｉｏｎ期間に、第２サービスの第２ＤＲＸメカニズムでｏｎ−ｄｕｒａｔｉｏｎに入ることに用いられ、前記第２サービスの優先度は前記第１サービスの優先度より大きく、及び前記処理ユニット４０２は前記第１ＤＲＸメカニズムのｏｎ−ｄｕｒａｔｉｏｎ期間に、前記第２サービスに対応する第２リソースを使用して前記通信ユニット４０３によって前記第２サービスのデータを受信することに用いられる。
【００５２】
一つの可能な例では、前記第１ＤＲＸメカニズムとは前記端末が前記第１サービスに対応する第１リソース上でのＤＲＸメカニズムを指し、前記第２ＤＲＸメカニズムとは前記端末が前記第２サービスに対応する第２リソース上でのＤＲＸメカニズムを指し、前記第１リソースと前記第２リソースとの異なりは前記第１サービスに対応する無線周波数ＲＦ  ｂａｎｄと前記第２サービスに対応する無線周波数ＲＦ  ｂａｎｄとの異なり、或いは同じ無線周波数リソースで第１サービスに対応するベースバンド処理方法と第２サービスに対応するベースバンド処理方法との異なりを含む。
【００５３】
一つの可能な例では、前記処理ユニット４０２は具体的に、前記第１ＤＲＸメカニズムのｏｎ−ｄｕｒａｔｉｏｎ期間に、前記通信ユニット４０３によって指示情報を受信することに用いられ、前記指示情報はネットワーク側装置が前記第１ＤＲＸメカニズムのｏｎ−ｄｕｒａｔｉｏｎ期間に前記端末の第２サービスの送信待ちデータを検出し、且つ前記第２ＤＲＸメカニズムが休眠時間帯にある際に送信されたものであり、及び前記処理ユニット４０２は前記指示情報に基づき、前記第２サービスの前記第２ＤＲＸメカニズムでｏｎ−ｄｕｒａｔｉｏｎに入ることに用いられる。
【００５４】
一つの可能な例では、前記処理ユニット４０２は具体的に、前記第１ＤＲＸメカニズムのｏｎ−ｄｕｒａｔｉｏｎ期間に、且つ前記第２サービスに対応する第２ＤＲＸメカニズムのｏｎ−ｄｕｒａｔｉｏｎ期間に前記通信ユニット４０３によって下り制御チャネルを受信することに用いられ、前記下り制御チャネルは前記第２サービスのデータをスケジューリングすることに用いられ、及び前記処理ユニット４０２は前記第１ＤＲＸメカニズムのｏｎ−ｄｕｒａｔｉｏｎ期間に、前記下り制御チャネルに基づき、前記第２サービスに対応する第２リソースを使用して前記通信ユニット４０３によって前記第２サービスのデータを受信することに用いられる。
【００５５】
処理ユニット４０２はプロセッサであり、通信ユニット４０３は通信インターフェースであり、記憶ユニット４０１はメモリである際に、本発明の実施例による端末は図４Ｂに示す端末であってもよい。
【００５６】
図４Ｂに示すように、該端末４１０はプロセッサ４１２、通信インターフェース４１３、メモリ４１１を備える。選択可能に、端末４１０はバス４１４を更に備えてもよい。通信インターフェース４１３、プロセッサ４１２及びメモリ４１１はバス４１４によって互いに接続することができ、バス４１４はペリフェラル コンポーネント インターコネクト（Ｐｅｒｉｐｈｅｒａｌ  Ｃｏｍｐｏｎｅｎｔ  Ｉｎｔｅｒｃｏｎｎｅｃｔ、ＰＣＩと略称）バス又は拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡと略称）バス等であってもよい。前記バス４１４はアドレスバス、データバス、制御バス等に分けられることができる。表示の便利のため、図４Ｂでは１本の太線で示されるが、バスやバスの種類が1つしかないという意味ではない。
【００５７】
上記の図４Ａ又は図４Ｂに示す端末は端末用装置としても理解でき、本発明の実施例は制限しない。
【００５８】
集積されたユニットを使用する場合に、図５Ａは上記の実施例による第１コアネットワーク装置のある可能な構造模式図を示す。ネットワーク側装置５００は処理ユニット５０２及び通信ユニット５０３を備える。処理ユニット５０２はネットワーク側装置の動作を制御管理することに用いられ、例えば、処理ユニット５０２はネットワーク側装置が図２Ａにおけるステップ２０１、図３Ａにおけるステップ３０２及び／又は本文に記載の技術の他の過程を実行するのをサポートすることに用いられる。通信ユニット５０３はネットワーク側装置とその他の装置との通信、例えば図１に示す端末との間の通信をサポートすることに用いられる。ネットワーク側装置はネットワーク側装置のプログラムコード及びデータを記憶するための記憶ユニット５０１を更に備えてもよい。
【００５９】
処理ユニット５０２はプロセッサ又はコントローラー、例えば中央プロセッサ（Ｃｅｎｔｒａｌ  Ｐｒｏｃｅｓｓｉｎｇ  Ｕｎｉｔ、ＣＰＵ）、汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ−Ｓｐｅｃｉｆｉｃ  Ｉｎｔｅｇｒａｔｅｄ  Ｃｉｒｃｕｉｔ、ＡＳＩＣ）、フィールドプログラマブルゲートアレイ（Ｆｉｅｌｄ  Ｐｒｏｇｒａｍｍａｂｌｅ  Ｇａｔｅ  Ａｒｒａｙ、ＦＰＧＡ）或いはその他のプログラマブルロジックデバイス、トランジスタロジックデバイス、ハードウェア部材或いはその任意の組み合わせであってもよい。本発明の開示内容に記載の各例示的な論理ボックス、モジュール及び回路を実現又は実行することができる。前記プロセッサは計算機能を実現する組み合わせ、例えば１つ又は複数のマイクロプロセッサを含む組み合わせ、ＤＳＰとマイクロプロセッサの組み合わせ等であってもよい。通信ユニット５０３はトランシーバー、トランシーバー回路等であってもよく、記憶ユニット５０１はメモリであってもよい。
【００６０】
前記処理ユニット５０２は端末の第１サービスの第１間欠受信ＤＲＸメカニズムの連続リスニング時間帯ｏｎ−ｄｕｒａｔｉｏｎ期間に、前記端末の第２サービスの送信待ちデータを検出し、且つ前記第２サービスの第２間欠受信ＤＲＸメカニズムは休眠時間帯にある際に、前記第１サービスに対応する第１リソースを使用して前記通信ユニット５０３によって前記第２サービスのデータを送信することに用いられ、前記第２サービスの優先度は前記第１サービスの優先度より高い。
【００６１】
一つの可能な例では、前記第１ＤＲＸメカニズムとは前記端末が前記第１サービスに対応する第１リソース上でのＤＲＸメカニズムを指し、前記第２ＤＲＸメカニズムとは前記端末が前記第２サービスに対応する第２リソース上でのＤＲＸメカニズムを指し、前記第１リソースと前記第２リソースとの異なりは前記第１サービスに対応する無線周波数ＲＦ  ｂａｎｄと前記第２サービスに対応する無線周波数ＲＦ  ｂａｎｄとの異なり、或いは同じ無線周波数リソースで第１サービスに対応するベースバンド処理方法と第２サービスに対応するベースバンド処理方法との異なりを含む。
【００６２】
一つの可能な例では、前記処理ユニット５０２は具体的に、前記第１サービスに対応する第１ＤＲＸメカニズムのｏｎ−ｄｕｒａｔｉｏｎ期間に前記通信ユニット５０３によって下り制御チャネルを送信することに用いられ、前記下り制御チャネルは前記第２サービスのデータをスケジューリングすることに用いられ、及び前記処理ユニット５０２は前記下り制御チャネルに基づき、前記第１サービスに対応する第１リソースを使用して前記通信ユニット５０３によって前記第２サービスのデータを送信することに用いられる。
【００６３】
一つの可能な例では、前記第１リソースは前記第１サービスに対応する第１リソースであり、前記第２リソースは前記第２サービスに対応する第２リソースであり、前記第１リソースの基本パラメータセットｎｕｍｅｒｏｌｏｇｙと前記第２リソースのｎｕｍｅｒｏｌｏｇｙとは異なり、前記処理ユニット５０２は具体的に、前記第１リソースのｎｕｍｅｒｏｌｏｇｙを前記第２リソースのｎｕｍｅｒｏｌｏｇｙに更新することに用いられ、及び前記第１サービスに対応する第１リソースを使用して前記通信ユニット５０３によって前記第２サービスのデータを送信することに用いられる。
【００６４】
前記処理ユニット５０２は、端末の第１サービスの第１間欠受信ＤＲＸメカニズムの連続リスニング時間帯ｏｎ−ｄｕｒａｔｉｏｎ期間に、前記端末の第２サービスに対応する第２リソースを使用して前記通信ユニット５０３によって第２サービスのデータを送信することに用いられ、前記第２サービスの優先度は前記第１サービスの優先度より大きい。
【００６５】
一つの可能な例では、前記第１ＤＲＸメカニズムとは前記端末が前記第１サービスに対応する第１リソース上でのＤＲＸメカニズムを指し、前記第２ＤＲＸメカニズムとは前記端末が前記第２サービスに対応する第２リソース上でのＤＲＸメカニズムを指し、前記第１リソースと前記第２リソースとの異なりは前記第１サービスに対応する無線周波数ＲＦ  ｂａｎｄと前記第２サービスに対応する無線周波数ＲＦ  ｂａｎｄとの異なり、或いは同じ無線周波数リソースで第１サービスに対応するベースバンド処理方法と第２サービスに対応するベースバンド処理方法との異なりを含む。
【００６６】
一つの可能な例では、前記処理ユニット５０２は第２サービスに対応する第２リソースを使用して前記通信ユニット５０３によって第２サービスのデータを送信する前に、更に、前記第１ＤＲＸメカニズムのｏｎ−ｄｕｒａｔｉｏｎ期間に、前記第２サービスの送信待ちデータを検出し、且つ前記第２ＤＲＸメカニズムが休眠時間帯にある際に、前記通信ユニット５０３によって指示情報を送信することに用いられ、前記指示情報は前記端末が第２ＤＲＸメカニズムでｏｎ−ｄｕｒａｔｉｏｎに入ることに用いられる。
【００６７】
一つの可能な例では、前記指示情報は第２サービスの下りデータの到達を指示する指示情報を含み、或いは前記端末が第２ＤＲＸメカニズムでｏｎ−ｄｕｒａｔｉｏｎに入ることを指示する指示情報を含み、前記指示情報は下り制御チャネル、下り共有チャンネル、メディアアクセス制御層制御ユニットの任意のいずれかの方法によって送信される。
【００６８】
一つの可能な例では、前記処理ユニット５０２は具体的に、前記端末の第２サービスに対応する第２ＤＲＸメカニズムのｏｎ−ｄｕｒａｔｉｏｎ期間に前記通信ユニット５０３によって下り制御チャネルを送信することに用いられ、前記下り制御チャネルは前記第２サービスのデータをスケジューリングすることに用いられ、及び前記処理ユニット５０２は前記下り制御チャネルに基づき、前記端末の第２サービスに対応する第２リソースを使用して前記通信ユニット５０３によって前記第２サービスのデータを送信することに用いられる。
【００６９】
処理ユニット５０２はプロセッサであり、通信ユニット５０３は通信インターフェースであり、記憶ユニット５０１はメモリである際に、本発明の実施例によるネットワーク側装置は図５Ｂに示すネットワーク側装置であってもよい。
【００７０】
図５Ｂに示すように、該ネットワーク側装置５１０はプロセッサ５１２、通信インターフェース５１３、メモリ５１１を備える。選択可能に、ネットワーク側装置５１０はバス５１４を更に備えてもよい。通信インターフェース５１３、プロセッサ５１２及びメモリ５１１はバス５１４によって相互接続されることができ、バス５１４はペリフェラル コンポーネント インターコネクト（Ｐｅｒｉｐｈｅｒａｌ  Ｃｏｍｐｏｎｅｎｔ  Ｉｎｔｅｒｃｏｎｎｅｃｔ、ＰＣＩと略称）バス又は拡張業界標準アーキテクチャ（Ｅｘｔｅｎｄｅｄ  Ｉｎｄｕｓｔｒｙ  Ｓｔａｎｄａｒｄ  Ａｒｃｈｉｔｅｃｔｕｒｅ、ＥＩＳＡと略称）バス等であってもよい。前記バス５１４はアドレスバス、データバス、制御バス等に分けられることができる。表示の便利のため、図５Ｂでは１本の太線で示されるが、バスやバスの種類が1つしかないという意味ではない。
【００７１】
上記の図５Ａ又は図５Ｂに示すネットワーク側装置はネットワーク側装置用装置として理解されることができ、本発明の実施例は制限しない。
【００７２】
本発明の実施例は他の端末を更に提供し、図６に示すように、説明の便利のため、本発明の実施例に関連する部分のみを示し、開示されない具体的な技術細部に対して、本発明の実施例の方法部分を参照する。該端末は携帯電話、タブレット、ＰＤＡ（Ｐｅｒｓｏｎａｌ  Ｄｉｇｉｔａｌ  Ａｓｓｉｓｔａｎｔ、パーソナル・デジタル・アシスタント）、ＰＯＳ（Ｐｏｉｎｔ  ｏｆ  Ｓａｌｅｓ、販売端末）、カーコンピュータ等を含む任意の端末装置であってもよく、端末が携帯電話であることを例とする。
【００７３】
図６は本発明の実施例による端末に関連する携帯電話の一部の構造のブロック図を示す。図６を参照し、携帯電話は、無線周波数（Ｒａｄｉｏ  Ｆｒｅｑｕｅｎｃｙ、ＲＦ）回路６１０、メモリ６２０、入力ユニット６３０、表示ユニット６４０、センサー６５０、オーディオ回路６６０、ワイヤレスフィデリティ（Ｗｉｒｅｌｅｓｓ  Ｆｉｄｅｌｉｔｙ、ＷｉＦｉ）モジュール６７０、プロセッサ６８０、及び電源６９０等の部材を備える。当業者が理解できるのは、図６に示す携帯電話の構造は携帯電話を制限するものではなく、図より多く又は少ない部材を含み、或いはある部材を組み合わせ、或いは異なる部材で布置されることができる。
【００７４】
以下、図６を組み合わせて携帯電話のそれぞれの構成部材を具体的に説明する。
ＲＦ回路６１０は情報を受信及び送信することに用いられる。一般的に、ＲＦ回路６１０はアンテナ、少なくとも1つのアンプ、トランシーバー、カプラ、ローノイズアンプ（Ｌｏｗ  Ｎｏｉｓｅ  Ａｍｐｌｉｆｉｅｒ、ＬＮＡ）、デュプレクサ等を含むが、これらに制限されない。なお、ＲＦ回路６１０は更に無線通信によってネットワーク及びその他の装置と通信することができる。上記無線通信は任意の通信標準又は協議を使用することができ、グローバル移動通信システム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）、汎用パケット無線サービス（Ｇｅｎｅｒａｌ  Ｐａｃｋｅｔ  Ｒａｄｉｏ  Ｓｅｒｖｉｃｅ、ＧＰＲＳ）、コード分割多元接続（Ｃｏｄｅ  Ｄｉｖｉｓｉｏｎ  Ｍｕｌｔｉｐｌｅ  Ａｃｃｅｓｓ、ＣＤＭＡ）、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ，  ＷＣＤＭＡ）、ロングタームエボリューション（Ｌｏｎｇ  Ｔｅｒｍ  Ｅｖｏｌｕｔｉｏｎ、ＬＴＥ）、電子メール、ショートメッセージングサービス（Ｓｈｏｒｔ  Ｍｅｓｓａｇｉｎｇ  Ｓｅｒｖｉｃｅ、ＳＭＳ）等を含むが、これらに制限されない。
【００７５】
メモリ６２０はソフトウェアプログラム及びモジュールを記憶することに用いられることができ、プロセッサ６８０はメモリ６２０に記憶されたソフトウェアプログラム及びモジュールを実行することによって、携帯電話の様々な機能的アプリケーション及びデータ処理を実行する。メモリ６２０は主にプログラム記憶領域及びデータ記憶領域を含んでもよく、プログラム記憶領域は操作システム、少なくとも１つの機能に必要なアプリケーションプログラム等を記憶することができ、データ記憶領域は携帯電話の使用に応じて作成したデータ等を記憶することができる。なお、メモリ６２０は高速ランダムアクセスメモリを含んでもよいし、不揮発性メモリ、例えば少なくとも１つのディスク記憶装置、フラッシュ装置、又はその他の揮発性固体記憶装置を含んでもよい。
【００７６】
入力ユニット６３０は入力したデジタル又はキャラクター情報を受信し、及び携帯電話のユーザー設定及び機能制御に関連するキー信号入力を生成することに用いられることができる。具体的に、入力ユニット６３０は指紋認識モジュール６３１及びその他の入力装置６３２を含んでもよい。指紋認識モジュール６３１は、ユーザーのその上での指紋データを収集することができる。指紋認識モジュール６３１以外、入力ユニット６３０は、その他の入力装置６３２をさらに含んでもよい。具体的に、その他の入力装置６３２はタッチスクリーン、物理キー、機能キー（例えば音量調節ボタン、スイッチボタン等）、トラックボール、マウス、ジョイスティック等の中の１つ又は複数を含んでもよいが、これらに制限されない。
【００７７】
表示ユニット６４０はユーザーにより入力した情報又はユーザーに提供する情報及び携帯電話の様々なメニューを表示することに用いられることができる。表示ユニット６４０はディスプレイ６４１を含んでもよく、選択可能に、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ，  ＯＬＥＤ）等の形式でディスプレイ６４１を配置することができる。図６では、指紋認識モジュール６３１及びディスプレイ６４１は２つの独立した部材として携帯電話の入力及び入力機能を実現するが、いくつかの実施例において、指紋認識モジュール６３１とディスプレイ６４１を集積して携帯電話の入力及び放送機能を実現することができる。
【００７８】
携帯電話は少なくとも１つのセンサー６５０、例えば光センサー、モーションセンサー以及びその他のセンサーを更に含んでもよい。具体的に、光センサーは環境光センサー及び近接センサーを含んでもよく、環境光センサーは周囲光の明暗に応じてディスプレイ６４１の明るさを調整することができ、近接センサーは携帯電話を耳へ移動する際に、ディスプレイ６４１及び／又はバックライトを閉めることができる。モーションセンサーの１つとして、加速度計センサーは各方向における（一般的に三軸）加速度の大きさを検出することができ、静止時に重力の大きさ及び方向を検出することができ、携帯電話ジェスチャーを認識するアプリケーション（例えば水平・垂直画面切り替え、関連ゲーム、磁力計姿勢校正）、振動認識関連機能（例えば歩数計、タッピング）等に用いられることができ、携帯電話に配置されることもできるジャイロスコープ、気圧計、湿度計、温度計、赤外線センサー等のその他のセンサーについて、ここで詳しく説明しない。
【００７９】
オーディオ回路６６０、スピーカー６６１、マイク６６２はユーザーと携帯電話との間のオーディオインターフェースを提供することができる。オーディオ回路６６０は受信したオーディオデータを電気信号に変換し、スピーカー６６１に伝送することができ、スピーカー６６１により音声信号に変換して放送し、一方、マイク６６２は収集した音声信号を電気信号に変換し、オーディオ回路６６０により受信した後にオーディオデータに変換し、更にオーディオデータを放送してプロセッサ６８０によって処理した後に、ＲＦ回路６１０によって例えば他の携帯電話に送信し、或いはオーディオデータをメモリ６２０に放送し、更に処理するようにする。
【００８０】
ＷｉＦｉは近距離無線伝送技術に属し、携帯電話はＷｉＦｉモジュール６７０によって電子メールの送受信、Ｗｅｂの閲覧、ストリーミングメディアへのアクセス等に役立つことができ、ユーザーのためにワイヤレスブロードバンドインターネットアクセスを提供する。図６はＷｉＦｉモジュール６７０を示したが、理解できるのは、携帯電話の必要な構成ではなく、本発明の本質を変えることなく必要に応じて省略することができる。
【００８１】
プロセッサ６８０は携帯電話の制御センターであり、様々なインターフェース及びラインによって携帯電話全体の各部分を接続し、メモリ６２０内に記憶されたソフトウェアプログラム及び／又はモジュールをランニング又は実行し、及びメモリ６２０内に記憶されたデータを呼び出すことによって、携帯電話の様々な機能を実行し及びデータを処理し、それにより携帯電話を全体的にモニタリングする。選択可能に、プロセッサ６８０は１つ又は複数の処理ユニットを含んでもよく、好ましくは、プロセッサ６８０はアプリケーションプロセッサ及びモデムプロセッサを集積することができ、アプリケーションプロセッサは主に操作システム、ユーザーインターフェース及びアプリケーションプログラム等を処理し、モデムプロセッサは主に無線通信を処理する。理解できるのは、上記モデムプロセッサはプロセッサ６８０に集積されなくてもよい。
【００８２】
携帯電話は各部材に給電する電源６９０（例えば電池）を更に含み、好ましくは、電源は電源管理システムによってプロセッサ６８０に論理的に接続されることができ、それにより電源管理システムによって充電、放電、及び電力消耗管理等の機能の管理を実現する。
【００８３】
図示しないが、携帯電話はカメラ、ブルートゥースモジュール等を更に含んでもよく、ここで詳しく説明しない。
【００８４】
前記図２Ａ、図３Ａに示す実施例において、各ステップ方法における端末側のフローは該携帯電話の構造に基づいて実現することができる。
【００８５】
前記図４Ａ〜図４Ｂに示す実施例において、各ユニット機能は該携帯電話の構造に基づいて実現することができる。
【００８６】
本発明の実施例はコンピュータ記憶媒体を更に提供し、該コンピュータ記憶媒体にプログラムが記憶されることができ、該プログラムが実行される際に上記方法の実施例に記載の任意の１つのデータ伝送方法の一部又は全部のステップを含む。
【００８７】
本発明の実施例に記載の方法或いはアルゴリズムのステップはハードウェアの方式で実現することができ、プロセッサによりソフトウェア命令を実行するように実現されてもよい。ソフトウェア命令は対応するソフトウェアモジュールにより構成されることができ、ソフトウェアモジュールはランダムアクセスメモリ（Ｒａｎｄｏｍ  Ａｃｃｅｓｓ  Ｍｅｍｏｒｙ、ＲＡＭ）、フラッシュ、読み取り専用メモリ（Ｒｅａｄ  Ｏｎｌｙ  Ｍｅｍｏｒｙ、ＲＯＭ）、消去可能なプログラマブル読み取り専用メモリ（Ｅｒａｓａｂｌｅ  Ｐｒｏｇｒａｍｍａｂｌｅ  ＲＯＭ、ＥＰＲＯＭ）、電気的消去可能プログラマブル読み取り専用メモリ（Ｅｌｅｃｔｒｉｃａｌｌｙ  ＥＰＲＯＭ、ＥＥＰＲＯＭ）、レジスタ、ハードディスク、リムーバブルディスク、読み込み専用ディスク（ＣＤ−ＲＯＭ）或いは当該技術分野において既知の任意の他の形態の記憶媒体に記憶されることができる。例示的な記憶媒体がプロセッサにカップリングされ、それによりプロセッサが該記憶媒体から情報を読み取ることができ、且つ該記憶媒体へ情報を書き込むことができる。無論、記憶媒体はプロセッサの構成部分であってもよい。プロセッサと記憶媒体はＡＳＩＣに位置することができる。また、該ＡＳＩＣはゲートウェイデバイス又はモビリティ管理ネットワーク要素に位置することができる。無論、プロセッサと記憶媒体はディスクリート部品としてゲートウェイデバイス又はモビリティ管理ネットワーク要素に存在してもよい。
【００８８】
当業者は、上記の１つ又は複数の例において、本発明の実施例に記載の機能はハードウェア、ソフトウェア、ファームウェア又はそれらの任意の組み合わせによって実現されることができることを認識すべきである。ソフトウェアによって実現される際に、これらの機能をコンピュータ可読媒体に記憶し或いはコンピュータ可読媒体における１つ又は複数の命令又はコードとして伝送することができる。コンピュータ可読媒体はコンピュータ記憶媒体及び通信媒体を含み、通信媒体はある場所から別の場所へのコンピュータプログラムの転送を便利にする任意の媒体を含む。記憶媒体は汎用又は専用コンピュータにアクセス可能な任意の利用可能な媒体であってもよい。
【００８９】
以上の具体的な実施形態は、本発明の実施例の目的、技術的解決手段及び有益な効果を更に詳細的に説明し、理解すべきなのは、以上のものは本発明の実施例の具体的な実施形態だけであり、本発明の実施例の保護範囲を制限しなく、本発明の実施例の技術的解決手段の上で、行った任意の修正、等価置換、改善等は、いずれも本発明の実施例の保護範囲に含まれるべきである。
【図１Ａ】
0006946439.tif 000002
【図１Ｂ】
0006946439.tif 000003
【図２Ａ】
0006946439.tif 000004
【図２Ｂ】
0006946439.tif 000005
【図３Ａ】
0006946439.tif 000006
【図３Ｂ】
0006946439.tif 000007
【図４Ａ】
0006946439.tif 000008
【図４Ｂ】
0006946439.tif 000009
【図５Ａ】
0006946439.tif 000010
【図５Ｂ】
0006946439.tif 000011
【図６】
0006946439.tif 000012